(57)【要約】【課題】  壁パネルの配置、特に浴槽を挟んで対向する壁パネルの間隔によって制限される浴槽のサイズよりも、一回り大きな浴槽を設置することができる浴室壁パネルの構造を提供する。【解決手段】  天井パネル２より床パネル４へ垂設される壁パネル３が浴槽５の上端縁部５２より外方に延出されたフランジ５１の外周側面５１ｂに面する浴室壁パネルの構造１であって、壁パネル３はフランジ５１の外縁上端部５１ａよりも高い位置からフランジ５１の外縁下端部５１ｃよりも低い位置まで浴室外方に張り出した凹部１３が形成され、その凹部１３の底面部３３にフランジ５１の外周側面５１ｂが近接される。【選択図】図１
2006144446.tif 000002
【特許請求の範囲】
【請求項１】
天井パネルより床パネルへ垂設される壁パネルが浴槽の上端縁部より外方に延出されたフランジの外周側面に面する浴室壁パネルの構造であって、壁パネルはフランジの外縁上端部よりも高い位置からフランジの外縁下端部よりも低い位置まで浴室外方に張り出した凹部が形成され、その凹部の底面部にフランジの外周側面が近接されることを特徴とする浴室壁パネルの構造。
【請求項２】
凹部の下側面部を貫通して浴室外方の給水配管と浴室内方の水栓とが接続されたことを特徴とする請求項１に記載の浴室壁パネルの構造。
【発明の詳細な説明】
【技術分野】
【０００１】
本発明は、天井パネルより床パネルへ垂設される壁パネルが浴槽の上端縁部より外方に延出されたフランジの外周側面に面する浴室壁パネルの構造に関するものである。
【背景技術】
【０００２】
従来から、天井パネルより床パネルへ垂設される壁パネルが浴槽の上端縁部より外方に延出されたフランジの外周側面に面する浴室壁パネルの構造については、壁パネルは略平板状として形成されているものが知られている。これについては、浴槽のフランジの外周側面は、天井パネルより床パネルへ垂設される略平板状の壁パネルよりも浴室内方に位置せざるを得ず、浴槽のサイズは、略平板状の壁パネルの配置、特に浴槽を挟んで対向する略平板状の壁パネルの間隔によって制限されることとなっていた。
【０００３】
ここで、浴室壁パネルの構造に関する技術として、特開平８−１９１７７７号公報（特許文献１）に記載のものが知られている。ただし、これは、略平板状の壁パネルの下方にカウンターを設け、このカウンターの下方に配管設置スペースを形成するものであって、この構成によっても、浴槽のフランジの外周側面は、天井パネルより床パネルへ垂設される略平板状の壁パネルよりも浴室内方に位置せざるを得ず、浴槽のサイズは、略平板状の壁パネルの配置、特に浴槽を挟んで対向する略平板状の壁パネルの間隔によって制限されるものであった。
【特許文献１】特開平８−１９１７７７号公報
【発明の開示】
【発明が解決しようとする課題】
【０００４】
本願発明は、上記背景技術に鑑みてなされたものであり、その課題は、略平板状の壁パネルの配置、特に浴槽を挟んで対向する略平板状の壁パネルの間隔によって制限される浴槽のサイズよりも、一回り大きな浴槽を設置することができる浴室壁パネルの構造を提供することである。
【課題を解決するための手段】
【０００５】
上記課題を解決するために、本願発明は、天井パネルより床パネルへ垂設される壁パネルが浴槽の上端縁部より外方に延出されたフランジの外周側面に面する浴室壁パネルの構造であって、壁パネルはフランジの外縁上端部よりも高い位置からフランジの外縁下端部よりも低い位置まで浴室外方に張り出した凹部が形成され、その凹部の底面部にフランジの外周側面が近接されることを特徴とする浴室壁パネルの構造である。
【発明の効果】
【０００６】
本願発明によれば、壁パネルは、フランジの外縁上端部よりも高い位置からフランジの外縁下端部よりも低い位置まで浴室外方に張り出した凹部が形成され、その凹部の底面部に浴槽のフランジの外周側面が近接されているので、略平板状の壁パネルを使用した場合よりもその凹部の深さ分だけ外方にまで浴槽を設置することができ、浴槽を挟んで対向する略平板状の壁パネルの間隔によって制限される浴槽のサイズよりも、一回り大きな浴槽を設置することができる。
【発明を実施するための最良の形態】
【０００７】
本願の請求項１及び２に対応した浴室壁パネルの構造１の一実施形態を図１〜図４により説明する。
【０００８】
本実施形態の浴室壁パネルの構造１は、図１〜図４に示す如く、天井パネル２より床パネル４へ垂設される壁パネル３が浴槽５の上端縁部５２より外方に延出されたフランジ５１の外周側面５１ｂに面する浴室壁パネルの構造１であって、壁パネル３はフランジ５１の外縁上端部５１ａよりも高い位置からフランジ５１の外縁下端部５１ｃよりも低い位置まで浴室外方に張り出した凹部１３が形成され、その凹部１３の底面部３３にフランジ５１の外周側面５１ｂが近接されることを特徴とする浴室壁パネルの構造１である。
【０００９】
また、凹部１３の下側面部３４を貫通して浴室外方の給水配管６と浴室内方の水栓７とが接続される。
【００１０】
以下、本実施形態による浴室壁パネルの構造１を、より具体的詳細に説明する。
【００１１】
最初に壁パネル３について、説明する。これは図１〜図４に示す如く、壁パネル３が浴室として組み立てられた状態において、天井パネル２の縁部から天井パネル２に略直行して下方に延びる上部平板部３１と、上部平板部３１の下端部から上部平板部３１に略直行して浴室外方に延びる上側面部３２と、上側面部３２の浴室外側端部から上側面部３２に略直交して下方に延びる底面部３３と、底面部３３の下端部から底面部３３に略直交して浴室内方に延びる下側面部３４と、下側面部３４の浴室内側端部から下側面部３４に略直行して下方に延びる下部平板部３５と、で形成される。
【００１２】
ここで、上側面部３２はフランジ５１の外縁上端部５１ａよりも高い位置にあり、下側面部３４はフランジ５１の外縁下端部５１ｃよりも低い位置にあるので、上側面部３２と、底面部３３と、下側面部３４で形成される凹部１３は、フランジ５１の外縁上端部５１ａよりも高い位置からフランジ５１の外縁下端部５１ｃよりも低い位置まで浴室外方に張り出すこととなる。
【００１３】
また、下部平板部３５の下端部は床パネル４との取り合いが容易となるように、床パネル４の端部の形状に合わせて鉤状に加工されている。そして、浴槽５を挟んで対向する壁パネル３、３の一方の壁パネル３の凹部１３には、図１に示す如く、下側面部３４に給水配管６が貫通する孔が設けられている。
【００１４】
次に、壁パネル３を用いた浴室壁パネルの構造１の組立て方法について説明する。
【００１５】
まず図４に示す如く、壁パネル３を構成する上側面部３２、底面部３３及び下側面部３４の浴室手前側の各端辺、３２ａ、３３ａ、３４ａと、浴室奥側の各端辺３２ｂ、３３ｂ、３４ｂとに、それぞれ接するように連設パネル９ａ、９ｂが取り付けられる。
【００１６】
そして、床パネル４に、浴室手前の壁パネル１１、浴室奥側の壁パネル１２及び洗い場側に面する壁パネル８並びに連設パネル９ａ及び９ｂが取り付けられた壁パネル３は、端部に加工された鉤状部が係合されるように建て込まれる。各パネル間は接続金具、接着剤、その他の通常の方法によって連結され、固定される。ここで浴室奥側の壁パネル１２、連設パネル９ｂ、壁パネル３、連設パネル９ａ及び洗い場側に面する壁パネル８が隙間無く連続することとなる。
【００１７】
また、図１及び図２に示す如く、この状態で、壁パネル３の凹部１３が隣接する間仕切り壁１４の内部まで、すなわち浴室外方に張り出すこととなる。
【００１８】
そして、浴室手前の壁パネル１１、浴室奥側の壁パネル１２及び洗い場側の壁パネル８並びに壁パネル３の上端部は、天井パネル２に係合される。なお、各パネル間は接続金具、接着剤、その他の通常の方法によって連結され、固定される。
【００１９】
そして、浴槽５は、その一辺が浴室奥側の壁パネル１２に接するように設置される。この状態で、浴槽５のフランジ５１の外周側面５１ｂは、壁パネル３の凹部１３の底面部３３に近接される。
【００２０】
さらに、浴槽５においては、浴槽５のフランジ５１に設けられた貫通孔と、凹部１３の下側面部３４に設けられた貫通孔とを、介して水栓７と給水配管６が接続される。
【００２１】
そして、浴槽５の洗い場に面する部分に化粧板１０が取り付けられる。
従って、本実施形態によれば、天井パネル２より床パネル４へ垂設される壁パネル３は、フランジ５１の外縁上端部５１ａよりも高い位置からフランジ５１の外縁下端部５１ｃよりも低い位置まで浴室外方に張り出した凹部１３が形成され、その凹部１３に浴槽５のフランジ５１の外周側面５１ｂが凹部１３の底面部３３に近接されているので、略平板状の壁パネルを使用した場合よりもその凹部１３の深さ分だけ外方にまで浴槽５を設置することができ、浴槽５を挟んで対向する略平板状の壁パネルの間隔によって制限される浴槽のサイズよりも、一回り大きな浴槽５を設置することができる。
【００２２】
また、本実施形態によれば、水栓７がフランジ５１の上面に設けられることとなり、壁パネル３からの水栓７の持ち出し長さを小さくすることができ、操作性及び外観が好ましいものとなる。
【図面の簡単な説明】
【００２３】
【図１】本願発明の一実施形態のＡ−Ａ断面図
【図２】同上のＢ−Ｂ断面図
【図３】同上のＣ−Ｃ断面図
【図４】同上の壁パネル３と連設パネル９ａ、９ｂの分解斜視図
【符号の説明】
【００２４】
１      浴室壁パネルの構造
２      天井パネル
３      壁パネル
３３    底面部
３４    下側面部
４      床パネル
５      浴槽
５１    フランジ
５１ａ  外縁上端部
５１ｂ  外周側面
５１ｃ  外縁下端部
５２    上端縁部
６      給水配管
７      水栓
１３    凹部
【図１】
2006144446.tif 000003
【図２】
2006144446.tif 000004
【図３】
2006144446.tif 000005
【図４】
2006144446.tif 000006